(57)【要約】【課題】  本考案は、犬の散歩時の糞の回収具について、使い捨てが可能で、安価で簡単に組み立てることができ、コンパクトで持ち運びが容易にでき、かつ排泄直後の糞を手で触る不快感と手や衣服が汚れる不衛生、悪臭を解消したい。【解決手段】  糞回収ハサミ１は、焼却可能な厚紙を折り目線３と切り欠き４により、コの字型に折り込むことにより、補強・脱落防止面をつくり、厚紙に強度を持たせ、糞の脱落を防止する。次に糞回収ハサミ１の頂部に粘着テープ７を取り付け、その粘着テープ７に収納用ポリ袋８の底を貼り付け、使い捨て犬の糞回収具を完成させます。使用時はこの収納用ボリ袋８を裏返して糞回収ハサミ１を外側から包んで、糞を掴み上げます。これにより、手と糞が完全に遮断されることにより、手や衣服が汚れる不衛生を解消し、さらに糞回収ハサミ１を完全に取っ手１０の付いた収納用ポリ袋８に納めることにより衛生的な持ち運びと悪臭を解消する。【選択図】図３
0003130057.tif 000002
【実用新案登録請求の範囲】
【請求項１】
安価で使い捨てができる厚紙を素材にした組立式の犬の糞回収ハサミ１に、犬の糞を掴むための強度を出して掴みやすくし、掴んだ犬の糞が脱落して汚れるのを防止し、並びに犬の糞に素手で触る不快な感触を解消するために、図４のよう手のひらに当たる部分がコの字型に折り込めるように図１のように長方形に裁断した厚紙の内側に折り目線３を入れ、さらに爪６の開閉が容易になるように切り欠き４を入れて補強・脱落防止機能５を備えた使い捨て犬の糞回収具
【請求項２】
犬の糞回収の際に犬の糞で手が汚れたり、犬の糞の臭いが手に移ったりする不衛生、危険を防止するために、図３のように犬の糞回収ハサミの頂部に収納用ポリ袋８を貼り付けるための粘着テープ７を取り付け、その粘着テープ７に取っ手のついた収納用ポリ袋８を装着した使い捨て犬の糞回収具
【考案の詳細な説明】
【技術分野】
【０００１】  本考案は、安価で使い捨てができる、厚紙を利用した組立式の犬の糞回収ハサミに収納用のポリ袋を装着した使い捨て犬の糞回収具に関するものである。
【背景技術】
【０００２】  従来、飼い犬の散歩時の糞の処理は、携帯したシャベルで処理した場合は、後にシャベルを洗浄する必要があり、また、使い捨てのビニール袋などを利用して処理する場合は、排泄直後の柔らかくて生温かい糞を直接手で掴む不快な感触や手が汚れることが避けられず、不衛生にならざるを得なかった。又、処理した糞を家に持ち帰る際も、用具、方法の面で面倒で手軽ではなかった。
【考案の開示】
【考案が解決しようとする課題】
【０００３】  考案が解決しようとする課題を整理すると、次の３項目にまとめることができる。【０００４】  犬の糞を回収する用具を、安価で簡単に組み立てることができ、かつ、コンパクトで軽量な物にして持ち運びを容易にしたい。【０００５】  排泄直後の柔らかくて生温かい糞を手で触る不快な感触と糞がこぼれ落ちて手や衣服が汚れる不衛生、悪臭を解消したい。【０００６】  使用済みの犬の糞回収具を、糞と一緒に焼却しても無害で、使い捨てが可能なものにしたい。
【課題を解決するための手段】
【０００７】  上記の目的を達成するために使い捨て犬の糞回収具の素材には、簡単に組み立てることができ、軽くて燃やしても有害物質を排出しない厚紙２と取っ手１０の付いた収納用ポリ袋８を使用します。糞回収ハサミ１は、厚紙２を使用するので強度と開閉のための弾力性をもたせるために、図１のように裁断した厚紙２の折り目線３に沿ってそれぞれ内側に折り込み、補強・脱落防止面５とします。このことによって図２のように糞回収ハサミ１の本体及び糞９を掴む爪６の部分の強度を補強し、かつ側面から糞９が脱落することと手１１に直に触れる不快な感触を防ぎます。また糞回収ハサミ１を開閉させる機能は、図２のように厚紙２をコの字型に折ることにより、折った直後の厚紙２自体の弾力性により確保できます。【０００８】  次に、糞回収ハサミ１で掴むとき、糞９がこぼれ落ちて手１１や衣服が汚れる不衛生を解消し、糞９の持ち帰りを容易にするために、図３のように取っ手１０の付いた収納用ポリ袋８の底部を糞回収ハサミ１の頂部に取り付けた粘着テープ７に貼り付けます。このことによって、糞９を掴むときは図４や図５のように手１１と糞９が収納用ポリ袋８によって完全に遮断されることにより糞９がこぼれ落ちても手１１や衣服が汚れる不衛生を解消し、さらに回収した糞９を図６のように取っ手１０の付いた収納用ポリ袋８に入れることにより衛生的な持ち運びを容易にします。さらに、図７のように取っ手１０部分を結ぶことにより糞９の悪臭が漏れるのを防ぐことができます。また収納用ポリ袋８はビニール袋や市販のレジ袋でも代用が可能です。
【考案を実施するための最良の形態】
【０００９】  本考案は糞回収ハサミ１と収納用ポリ袋８を組み合わせて使います。まず、犬を散歩に連れ出す前に、図１の糞回収ハサミ１の厚紙２を折れ目線３に沿って内側に折り込み、図２のように組み立てます。次に糞回収ハサミ１の頂部の粘着テー７のはく離紙をはがし、図３のように収納用ポリ袋８の底部を貼り付けます。犬の散歩中は図３又は図６で糞９のない状態で携帯します。犬が散歩中に排便したときは、携帯している使い捨て犬の糞回収具を取り出し、収納用ポリ袋８を裏側に折り返し、図４のように糞回収ハサミ１を収納用ポリ袋８で外側から包むようにして糞９を掴みます。掴んだ糞９は、図５のように収納用ポリ袋８を完全に裏返し、図６又は図７のように取っ手１０を持って、家まで持ち帰り、燃えるゴミとして処分します。また収納用ポリ袋８はビニール袋や市販のレジ袋でも代用が可能です。
【考案の効果】
【００１０】  本考案は、上述のような形態で実施され、次に記載する効果を奏する。
【００１１】  使い捨て犬の糞回収具は、素材が厚紙とポリ袋等でできているので、軽量でコンパクトであり、かつ、ポリ袋に取っ手があるので携帯が便利である。
【００１２】  糞回収ハサミと収納用ポリ袋等を固着して組み合わせて使うことにより、犬の糞で手が汚れることや、犬の糞を手で掴んだ時に感じる不快感、犬の糞の悪臭を解消し、衛生的に回収できる。
【００１３】  使い捨て犬の糞回収具は、素材が厚紙とポリ袋等でできているので、洗浄する必要がなく、そのまま燃やしても有害でないので、使い捨てができる。
【００１４】  使い捨て犬の糞回収具は、素材が厚紙とポリ袋等で、構造が単純であり、かつ、簡単に加工、組み立てることができるので、製作コストが極めて低廉である。、
【図面の簡単な説明】
【００１５】
【図１】糞回収ハサミの組み立て前の厚紙の上からの平面図
【図２】糞回収ハサミの組み立て後の側面図
【図３】収納用ポリ袋を貼り付け組立てが完成した使い捨て犬の糞回収具の斜視図
【図４】収納用ポリ袋を裏返して糞を掴む図
【図５】糞を掴んだ後収納用ポリ袋を裏返す図
【図６】糞回収ハサミを収納用ポリ袋に完全に収納した図
【図７】携帯を容易にし悪臭を防ぐため使い捨て犬の糞回収具の取っ手の口を結んだ図
【符号の説明】
【００１６】１  糞回収ハサミ
２  厚紙
３  折り目線
４  切り欠き
５  補強・脱落防止面
６  爪
７  粘着テープ
８  収納用ポリ袋
９  糞
１０  取っ手
１１  手
１２  切り込み
【図１】
0003130057.tif 000003
【図２】
0003130057.tif 000004
【図３】
0003130057.tif 000005
【図４】
0003130057.tif 000006
【図５】
0003130057.tif 000007
【図６】
0003130057.tif 000008
【図７】
0003130057.tif 000009
【手続補正書】
【提出日】平成18年12月4日(2006.12.4)
【手続補正１】
【補正対象書類名】実用新案登録請求の範囲
【補正対象項目名】全文
【補正方法】変更
【補正の内容】
【実用新案登録請求の範囲】
【請求項１】
組立式の糞回収ハサミ１に、犬の糞を掴むための強度を出して掴みやすくするために長方形に裁断した厚紙２の内側の中央に２本の平行した折り目線３を入れて手のひらに当たる部分がコの字型に折り込めるようにし、掴んだ犬の糞が脱落して汚れるのを防止するために厚紙２の４つの辺の内側に、辺に沿って折り目線３及び切り込み１２を入れて補強・脱落防止面５及び爪６を設け、さらに爪６の開閉が容易になるように切り欠き４を入れた使い捨て犬の糞回収具
【請求項２】
犬の糞回収の際に犬の糞で手が汚れたり、犬の糞の臭いが手に移ったりする不衛生、危険を防止し、及び糞の回収後の持ち運びを容易にするために、組立式の糞回収ハサミ１のコの字型の外側の頂部に収納用ポリ袋８を貼り付けるための粘着テープ７を取り付け、その粘着テープ７に取っ手のついた収納用ポリ袋８を装着したことを特徴とする請求項１に記載の使い捨て犬の糞回収具